(57)【要約】【課題】綴じられた被綴じ物が抜け出ることがない綴じ具を提供することである。【解決手段】綴じ具は、綴じ孔を有する被綴じ物を、嵌挿されて保持する保持部材１２は、被綴じ物の一方面を保持する第１保持部２０と、被綴じ物の他方面を保持する第２保持部２２とを形成され、被綴じ物の綴じ孔に貫挿される綴杆部材１４の挿入杆部４０を挿入する綴杆装入孔２８が第１保持部２０に貫設され、且つ被綴じ物の綴じ孔に貫挿され挿入杆部４０の先端部を挿入する綴杆装入孔３０が第２保持部２２に貫設され、綴杆部材１４は、挿入杆部４０と、挿入杆部４０の一端側に形成された係止頭部４２と、挿入杆部４０の外表面に部分的に突き出し設けられた掛止抜止部４４とを有する。【選択図】図１２
2008168460.tif 000002
【特許請求の範囲】
【請求項１】
綴じ孔を有する被綴じ物を、嵌挿されて保持する保持部材と
前記保持部材に保持された被綴じ物の綴じ孔に貫挿され且つ保持部材に固定される綴杆部材とを備える綴じ具であって、
保持部材は、
被綴じ物の一方面を保持する第１保持部と、被綴じ物の他方面を保持する第２保持部とを形成され、
対向する第１保持部と第２保持部とは連設部により連設されるとともに、連設部とは反対側の第１保持部及び第２保持部のそれぞれの自由端から内側に挿入部を形成され、
被綴じ物の綴じ孔に貫挿される綴杆部材の挿入杆部を挿入する綴杆装入孔が第１保持部に貫設され、且つ前記第１保持部の綴杆装入孔に挿入され、被綴じ物の綴じ孔に貫挿された挿入杆部の先端部を挿入する綴杆装入孔が第２保持部に貫設され、
綴杆部材は、
被綴じ物の綴じ孔に貫挿される挿入杆部と、
第１保持部の綴杆装入孔の周囲に係止されるように、挿入杆部の一端側に形成された係止頭部と、
第１保持部の厚さ分の間隔をおいて係止頭部より離れた位置に、挿入杆部の外表面に部分的に突き出し設けられた掛止抜止部とを有し、
第１保持部は、綴杆装入孔の外周に、綴杆装入孔に続く掛止抜止部を挿入するための掛止抜止部挿入孔が形成され、且つ掛止抜止部挿入孔以外の領域に、掛止抜止部を係止する係止領域が形成された、綴じ具。
【請求項２】
第1保持部の外表面は、綴杆装入孔の周囲に綴杆部材の係止頭部を受容する段差が形成されている、請求項１に記載の綴じ具。
【請求項３】
掛止抜止部は、第１保持部と第２保持部との間の挿入部の間隔が広いときと狭いときのいずれも、被綴じ物の綴じ孔に収容されるような高さ分、挿入杆部より突き出された、請求項１または２に記載の綴じ具。
【請求項４】
第１保持部は、綴杆部材の係止頭部と掛止抜止部との間において、綴杆装入孔に挿入された綴杆部材の挿入杆部と第１保持部とが略直交して固定されるように形成され、
第２保持部は、第１保持部と第２保持部との間の挿入部の間隔が広いときと狭いときのいずれも、前記綴杆部材の挿入杆部を嵌挿されるように綴杆装入孔が形成された、請求項  １ないし３のいずれかに記載の綴じ具。
【請求項５】
綴杆部材は、第１保持部の綴杆装入孔に固定された係止頭部が第１保持部の外表面と対向する面に凹部を形成され、該凹部を第１保持部の外表面に突設された凸部に嵌合して第１保持部に固定されるように形成された、請求項１ないし４のいずれかに記載の綴じ具。
【発明の詳細な説明】
【技術分野】
【０００１】
この発明は、綴じ具に関し、特に、例えば書類等の被綴じ物の端縁近傍を挟みスライドさせて綴じるファイルとして用いて好適な綴じ具に関する。
【背景技術】
【０００２】
従来、表紙に書類を挟み、三角状のレールをスライドさせて綴じる、スライドレール式ファイルがあり、又、三角状のレールに挟まれる書類等の端縁近傍に穿設された綴じ孔に留め具を挿入して被綴じ物を留める綴じ具を備えたファイルが提案されている（特許文献１参照）。
【０００３】
【特許文献１】実開昭５０−７９５１３号公報
【発明の開示】
【発明が解決しようとする課題】
【０００４】
従来の三角状のレールは、用紙が、見開いた時に左右に引っ張られレールから抜けるという問題がある。
特に、用紙を綴じる枚数が多い程用紙が抜けやすくなる。
特許文献１のファイルは、一側面に切込穴を有する鍵穴と前記鍵穴に間隔を有して透孔を穿設した断面略倒れコ字型の狭持具と、頭部の下端面に係止突起とシャンクには突出片を設けた留め具とからなるファイルであるが、留め具と狭持具との間に隙間が生じ易く、特に、挟持具の弾力性によって綴じられた書類を保持できない場合、留め具の先端と挟持具の内側表面との間に生じた間隙より書類等の被綴じ物が抜き出るおそれがあった。
【０００５】
それゆえに、この発明の主たる目的は、綴じられた被綴じ物が抜け出ることがない綴じ具を提供することである。
【課題を解決するための手段】
【０００６】
この発明にかかる綴じ具は、綴じ孔を有する被綴じ物を、嵌挿されて保持する保持部材と、前記保持部材に保持された被綴じ物の綴じ孔に貫挿され且つ保持部材に固定される綴杆部材とを備える綴じ具であって、保持部材は、被綴じ物の一方面を保持する第１保持部と、被綴じ物の他方面を保持する第２保持部とを形成され、対向する第１保持部と第２保持部とは連設部により連設されるとともに、連設部とは反対側の第１保持部及び第２保持部のそれぞれの自由端から内側に挿入部を形成され、被綴じ物の綴じ孔に貫挿される綴杆部材の挿入杆部を挿入する綴杆装入孔が第１保持部に貫設され、且つ前記第１保持部の綴杆装入孔に挿入され、被綴じ物の綴じ孔に貫挿された挿入杆部の先端部を挿入する綴杆装入孔が第２保持部に貫設され、綴杆部材は、被綴じ物の綴じ孔に貫挿される挿入杆部と、第１保持部の綴杆装入孔の周囲に係止されるように、挿入杆部の一端側に形成された係止頭部と、第１保持部の厚さ分の間隔をおいて係止頭部より離れた位置に、挿入杆部の外表面に部分的に突き出し設けられた掛止抜止部とを有し、第１保持部は、綴杆装入孔の外周に、綴杆装入孔に続く掛止抜止部を挿入するための掛止抜止部挿入孔が形成され、且つ掛止抜止部挿入孔以外の領域に、掛止抜止部を係止する係止領域が形成された、綴じ具である。
この発明の請求項２にかかる綴じ具は、第1保持部の外表面は、綴杆装入孔の周囲に綴杆部材の係止頭部を受容する段差が形成されている、請求項１に記載の綴じ具である。
この発明の請求項３にかかる綴じ具は、掛止抜止部は、第１保持部と第２保持部との間の挿入部の間隔が広いときと狭いときのいずれも、被綴じ物の綴じ孔に収容されるような高さ分、挿入杆部より突き出された、請求項１または２に記載の綴じ具である。
この発明の請求項４にかかる綴じ具は、第１保持部は、綴杆部材の係止頭部と掛止抜止部との間において、綴杆装入孔に挿入された綴杆部材の挿入杆部と第１保持部とが略直交して固定されるように形成され、第２保持部は、第１保持部と第２保持部との間の挿入部の間隔が広いときと狭いときのいずれも、前記綴杆部材の挿入杆部を嵌挿されるように綴杆装入孔が形成された、請求項１ないし３のいずれかに記載の綴じ具である。
この発明の請求項５にかかる綴じ具は、綴杆部材は、第１保持部の綴杆装入孔に固定された係止頭部が第１保持部の外表面と対向する面に凹部を形成され、該凹部を第１保持部の外表面に突設された凸部に嵌合して第１保持部に固定されるように形成された、請求項１ないし４のいずれかに記載の綴じ具である。
【発明の効果】
【０００７】
この発明によれば、綴じ孔を有する被綴じ物を嵌挿されて保持する保持部材を構成する第１保持部と第２保持部との間において綴杆部材が被綴じ物の綴じ孔に貫挿され且つ第１保持部の綴杆装入孔及び第２保持部の綴杆装入孔に挿入されて固定されるために、綴杆装入孔に挿入された綴杆部材によって、保持部材が多少変形したとしても被綴じ物を保持した状態を維持することができ、保持部材及び綴杆部材から被綴じ物が抜け出ることはない。
請求項２の発明によれば、第1保持部の外表面は、綴杆装入孔の周囲に綴杆部材の係止頭部を受容する段差が形成されているので、綴杆部材の係止頭部に他物が引っ掛かることが少なくなる。
請求項３の発明によれば、掛止抜止部は、第１保持部と第２保持部との間の挿入部の間隔が広いときと狭いときのいずれも、被綴じ物の綴じ孔に収容されるような高さ分、挿入杆部より突き出されているので、綴杆部材が保持部材に掛止されて抜け出ることがない。
請求項４の発明によれば、第１保持部は、綴杆部材の係止頭部と掛止抜止部との間において、綴杆装入孔に挿入された綴杆部材の挿入杆部と第１保持部とが略直交して固定されるように形成され、第２保持部は、第１保持部と第２保持部との間の挿入部の間隔が広いときと狭いときのいずれも、前記綴杆部材の挿入杆部を嵌挿されるように綴杆装入孔が形成されているので、綴杆部材が保持部材に掛止されて抜け出ることがない。
請求項５の発明によれば、綴杆部材は、第１保持部の綴杆装入孔に固定された係止頭部が第１保持部の外表面と対向する面に凹部を形成され、該凹部を第１保持部の外表面に突設された凸部に嵌合して第１保持部に固定されるように形成されているので、緩むことがない。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明の一実施の形態である綴じ具の斜視図である。
図２は、図１図示綴じ具の横断面図である。
図３は、図１図示綴じ具の被綴じ物を挟持した状態の横断面図解図である。
図４は、保持部材の平面図である。
図５は、綴じ具の保持部材の側面図であり、（Ａ）は口唇状縁側の側面図であり、（Ｂ）は連設部側の側面図である。
図６は、綴じ具の保持部材の縦断面図である。
図７は、綴じ具の綴杆部材の斜視図解図である。
図８は、綴じ具の綴杆部材の正面図である。
図９は、綴じ具の綴杆部材の底面図である。
図１０は、綴じ具の綴杆部材の一部を断面とした図解図である。
【００１０】
綴じ具１０は、表紙に書類等の被綴じ物を挟み、スライドさせて被綴じ物を止めるファイルに用いられるもので、綴じ孔Ｓ１を有する被綴じ物Ｓを、嵌挿されて保持する保持部材１２と、前記保持部材１２に保持された被綴じ物Ｓの綴じ孔Ｓ１に嵌挿され且つ保持部材１２に固定される綴杆部材１４とを備える。
【００１１】
保持部材１２は、被綴じ物Ｓの一方面を保持する第１保持部２０と、被綴じ物Ｓの他方面を保持する第２保持部２２と、第１保持部２０と第２保持部２２とを連設する連設部２４とを備え、対向する第１保持部２０と第２保持部２２とは、連設部２４により連設されるとともに連設部２４とは反対側の第１保持部２０及び第２保持部２２のそれぞれの自由端に挿入部２６を形成され、弾力性を有する、例えばポリアセタール樹脂によって全体が一体成形されてなる。
第１保持部２０及び第２保持部２２は、挿入部２６側の自由端が断面略円形状の口唇状縁２０ａ及び口唇状縁２２ａが長手方向に連続して形成され、第１保持部２０の口唇状縁２０ａと第２保持部２２の口唇状縁２２ａとは、被綴じ物Ｓを綴じていないときには接し合っており、被綴じ物Ｓを綴じたときには被綴じ物Ｓの表面側及び裏面側より挟んで弾力性により押圧する。
【００１２】
綴杆部材１４は、被綴じ物Ｓの綴じ孔Ｓ１に貫挿される挿入杆部４０と、第１保持部２０の第１綴杆装入孔２８の周囲に係止されるように、挿入杆部４０の一端側に形成された係止頭部４２と、第１保持部２０の厚さ分の間隔をおいて係止頭部４２より離れた位置に、挿入杆部４０の外表面に部分的に突き出し設けられた掛止抜止部４４とを有し、ポリアセタール樹脂によって一体成形されてなる。
【００１３】
保持部材１２の第１保持部２０は、被綴じ物Ｓの綴じ孔Ｓ１に貫挿される綴杆部材１４の挿入杆部４０を挿入する第１綴杆装入孔２８が貫設されている。また、保持部材１２の第２保持部２２は、前記第１保持部２０の第１綴杆装入孔２８に挿入され且つ被綴じ物Ｓの綴じ孔Ｓ１に貫挿された挿入杆部４０の先端部を挿入する第２綴杆装入孔３０が貫設されている。
【００１４】
第１保持部２０は、第１綴杆装入孔２８の外周に、第１綴杆装入孔２８に続く前記綴杆部材１４の掛止抜止部４４を挿入するための掛止抜止部挿入孔３２が形成されている。掛止抜止部挿入孔３２は、平面視半円形状で、第１保持部２０の長手方向に分かれて一対形成され、分かれた掛止抜止部挿入孔３２と掛止抜止部挿入孔３２とは２回回転対称性（１回転の２分の１回転させたときにもとの図形と一致する対称性）を有するように形成されている。
分かれた掛止抜止部挿入孔３２と掛止抜止部挿入孔３２との近傍、すなわち第１保持部２０の長手方向において、手前側と向こう側とに、掛止抜止部挿入孔３２及び掛止抜止部挿入孔３２より少し距離をおいて、一対の凸部３６と凸部３６が突設されている。凸部３６は、綴杆部材１４を第１保持部２０にロック固定するために形成されている。
また、第１保持部２０は、前記掛止抜止部挿入孔３２が形成された以外の領域、すなわち、第１綴杆装入孔２８の縁であって掛止抜止部挿入孔３２が形成された以外の領域に、掛止抜止部４４を係止する係止領域が形成されている。
【００１５】
第１保持部２０の外表面は、第１綴杆装入孔２８の周囲に綴杆部材１４の係止頭部４２を受容する段差部３４が形成されている。
そして、段差部３４は、被綴じ物Ｓを差し込むための差し込み側の一端が、自由端の中央に向かうに従ってその高さが高くなるような傾斜縁３４ａを形成され、被綴じ物Ｓの挿入を容易化している。
【００１６】
第１保持部２０及び綴杆部材１４は、綴杆部材１４の係止頭部４２と掛止抜止部４４との間において、第１綴杆装入孔２８に挿入された綴杆部材１４の挿入杆部４０と第１保持部２０とがほぼ直交して固定されるように、挿入杆部４０の直径よりわずかに長い直径を有する略円形の第１綴杆装入孔２８が形成されている。
また、第２保持部２２は、第１保持部２０と第２保持部２２との間の挿入部２６の間隔が広いときと狭いときのいずれも、前記綴杆部材１４の挿入杆部４０を貫挿されるように、挿入杆部４０の直径より長い長径（長軸）を有する略楕円形の第２綴杆装入孔３０が形成されている。
第２綴杆装入孔３０は、その長径（長軸）が第２保持部２２の幅方向に伸びるように形成されている。
【００１７】
係止頭部４２は、保持部材１２の第１綴杆装入孔２８の長さよりも長くのびる長さを備えた、略楕円状の基板４２ａと、基板４２ａの上面の中央（挿入杆部４０の上部）に突設された平面視円形状の膨出部４２ｂと、平面視円形状の膨出部４２ｂの中央において、基板４２ａの短軸側に向けてのびる長溝４２ｃとを備える。基板４２ａの裏面（下面）は、第１保持部２０の上面と略々密に接しながら円滑に係止頭部４２を回転させるための平面部４２ｄが基板４２ａの長軸に沿って伸びるように形成され、平面部４２ｄの両側すなわち基板４２ａの短径（短軸）方向における両端縁近傍には傾斜面部４２ｅ及び傾斜面部４２ｅが線対称に形成されている。
長溝４２ｃは、掛止抜止部４４の突き出された方向にのびる溝であり、コイン等の円板状の回転補助具Ｃの厚み分の幅を有している。
【００１８】
掛止抜止部４４は、左右一対形成され、左右の掛止抜止部４４と掛止抜止部４４とは挿入杆部４０のまわりに１８０度回転させたときに一致する軸対称性（２回回転対称性）を有しており、第１保持部２０と第２保持部２２との間の挿入部２６の間隔が広いときと狭いときのいずれも、被綴じ物Ｓの綴じ孔Ｓ１に収容されるような高さ分、挿入杆部４０より挿入杆部４０の軸方向と直交する方向に向けて突設されている。
掛止抜止部４４は、掛止抜止部４４の裏面と対向する上面が、挿入杆部４０の回転を円滑化するために、円弧状に形成され、又、挿入杆部４０の先端側である下部が、第１綴杆装入孔２８への挿入を円滑化するために、下方に至るに従って低くなっている。
【００１９】
また、被綴じ物Ｓは紙箋が重ねられた紙箋群からなるが、被綴じ物Ｓの厚みが厚いときには第１保持部２０と第２保持部２２との間の挿入部２６の間隔が広くなり、第２保持部２２と挿入杆部４０とが略直交するような角度となり、被綴じ物Ｓの綴じ孔Ｓ１の孔縁とも略平行となる。
一方、被綴じ物Ｓの厚みが薄いときには、第１保持部２０と第２保持部２２との間の挿入部２６の間隔が狭くなり、第２保持部２２と挿入杆部４０とが斜交するような角度となり、被綴じ物Ｓの綴じ孔Ｓ１の孔縁とも斜交する。
そして、綴じ孔Ｓ１は、規格（例えば、日本工業規格ＪＩＳ）でその直径が決められている。
而して、綴杆部材１４の挿入杆部４０の形状と掛止抜止部４４の形状は、綴杆部材１４を被綴じ物Ｓの綴じ孔Ｓ１に嵌挿されないということのないようにするために、第２保持部２２と挿入杆部４０が斜交したときに綴じられた被綴じ物Ｓの綴じ孔Ｓ１の孔縁に接近しても軽く触れるか又は全く接触しないように、挿入杆部４０の軸方向と直交ないしは斜交する方向における幅を、被綴じ物Ｓの綴じ孔Ｓ１に収容されるように規定する必要がある。
【００２０】
綴杆部材１４は、第１保持部２０の第１綴杆装入孔２８に固定された係止頭部４２の下表面、すなわち、第１保持部２０の外表面に対向する表面に、凹部４６が形成され、綴杆部材１４の凹部４６を第１保持部２０の外表面に突設された凸部３６に嵌合して、第１保持部２０に固定される。
綴杆部材１４は、挿入杆部４０を中心にして第１綴杆挿入孔２８内において回転させることができ、基板４２ａの裏面（下面）の傾斜面部４２ｅにより凸部３６と突き当たることなく、円滑に回転させて、綴杆部材１４の凹部４６を第１保持部２０の外表面に突設された凸部３６に嵌合させることができる。
このように、綴杆部材１４は、挿入杆部４０（軸）のまわりに１回転の２分の１だけ回転させたときにもとの図形と一致する軸対称性を有している。
【００２１】
被綴じ物Ｓは、紙箋等のように比較的柔らかいものの場合、その被綴じ物Ｓの表面及び裏面に表紙部材１００が重ねられる。
表紙部材１００は、方形の表表紙部１０２と、該表表紙部１０２に対向する方形の裏表紙部１０４とを備え、表表紙部１０２と裏表紙部１０４とが綴じ代側端縁において、連設部１０６によって連設されている。
また、表表紙部１０２と裏表紙部１０４の綴じ代側端縁近傍には、被綴じ物Ｓの綴じ孔Ｓ１と同じ位置に綴じ孔１０８及び綴じ孔１１０が穿設されている。表表紙部１０２の綴じ孔１０８と裏表紙部１０４の綴じ孔１１０とは、綴杆部材１４の挿入杆部４０及び掛止抜止部４４を挿入することができるように、形状及び位置が構成されている。
而して、表紙部材１００の表表紙部１０２と裏表紙部１０４との間に挟みこまれた被綴じ物Ｓは、表紙部材１００とともにその綴じ代側を保持部材１２の挿入部２６にスライドして嵌挿させることができる。
【００２２】
そして、保持部材１２に保持された被綴じ物Ｓの綴じ孔Ｓ１に第１保持部２０の第１綴杆装入孔２８より綴杆部材１４の挿入杆部４０を挿入し、綴杆部材１４の掛止抜止部４４を第１保持部２０の掛止抜止部挿入孔３２より挿入し、第２保持部２２の第２綴杆装入孔３０にいたらしめ、第２綴杆装入孔３０より突き出るようにして、係止頭部４２と掛止抜止部４４との間の首部４０ａを第１保持部２０の第１綴杆装入孔２８にいたらしめて係止頭部４２を９０度旋回し、係止頭部４２の裏面（下面）に設けられた凹部４６を第１保持部２０の外表面に設けられた凸部３６に嵌入させる。
而して、綴杆部材１４は、保持部材１２に第１保持部２０から第２保持部２２に跨った状態で被綴じ物Ｓを固定することができる。
【図面の簡単な説明】
【００２３】
【図１】この発明の一実施の形態である綴じ具の斜視図である。
【図２】図１図示綴じ具の横断面図である。
【図３】被綴じ物を挟持した状態における図１図示綴じ具の横断面図解図である。
【図４】綴じ具の保持部材の平面図である。
【図５】綴じ具の保持部材の側面図であり、（Ａ）は口唇状縁側の側面図であり、（Ｂ）は連設部側の側面図である。
【図６】綴じ具の保持部材の縦断面図である。
【図７】綴じ具の綴杆部材の斜視図解図である。
【図８】綴じ具の綴杆部材の正面図である。
【図９】綴じ具の綴杆部材の底面図である。
【図１０】綴じ具の綴杆部材の一部を断面とした図解図である。
【図１１】被綴じ物を挟み込んだ状態における図１図示綴じ具の斜視図解図である。
【図１２】図１図示綴じ具に被綴じ物を挟み込む方法を示す斜視図解図である。
【図１３】図１図示綴じ具に被綴じ物を挟み込む方法を示す斜視図解図である。
【図１４】図１図示綴じ具に被綴じ物を挟み込む方法を示す斜視図解図である。
【図１５】図１図示綴じ具に被綴じ物を挟み込む方法を示す斜視図解図である。
【図１６】図１図示綴じ具に被綴じ物を挟み込む方法を示す斜視図解図である。
【符号の説明】
【００２４】
１０  綴じ具
１２  保持部材
１４  綴杆部材
２０  第１保持部
２０ａ  口唇状縁
２２  第２保持部
２２ａ  口唇状縁
２４  連設部
２６  挿入部
２８  第１綴杆装入孔
３０  第２綴杆装入孔
３２  掛止抜止部挿入孔
３４  段差
３６  凸部
４０  挿入杆部
４０ａ  首部
４２  係止頭部
４２ａ  基板
４２ｂ  膨出部
４２ｃ  長溝
４２ｄ  平面部
４２ｅ  傾斜面部
４４  掛止抜止部
４６  凹部
Ｓ  綴じ物
Ｓ１  綴じ孔
１００  表紙部材
１０２  表表紙部
１０４  裏表紙部
１０６  連設部
１０８  綴じ孔
１１０  綴じ孔
Ｃ  回転補助具
【図１】
2008168460.tif 000003
【図２】
2008168460.tif 000004
【図３】
2008168460.tif 000005
【図４】
2008168460.tif 000006
【図５】
2008168460.tif 000007
【図６】
2008168460.tif 000008
【図７】
2008168460.tif 000009
【図８】
2008168460.tif 000010
【図９】
2008168460.tif 000011
【図１０】
2008168460.tif 000012
【図１１】
2008168460.tif 000013
【図１２】
2008168460.tif 000014
【図１３】
2008168460.tif 000015
【図１４】
2008168460.tif 000016
【図１５】
2008168460.tif 000017
【図１６】
2008168460.tif 000018